(57)【特許請求の範囲】
【請求項１】
試験室内の試験位置に被試験車両を配置して環境試験を行う環境試験装置であって、
ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、該牽引装置内を設定温度とするヒータ等の温調装置を備えてなることを特徴とする環境試験装置。
【請求項２】
試験室内の試験位置に被試験車両を配置して環境試験を行う環境試験装置であって、ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、前記試験室内の床に埋め込み配置されてなると共に、
前記牽引装置は、該牽引装置内を設定温度とするヒータ等の温調装置を備えてなることを特徴とする環境試験装置。
【請求項３】
試験室内の試験位置に被試験車両を配置して環境試験を行う環境試験装置であって、ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、前記試験室内の床に埋め込み配置されて成ると共に、
前記ロープは、低温の使用に耐え得る登山用のロープを使用してなり、
且つ、前記牽引装置は、該牽引装置内を設定温度とするヒータ等の温調装置を備えてなることを特徴とする環境試験装置。
【発明の詳細な説明】
【技術分野】
【０００１】
本発明は環境試験装置に関するものであり、特に、環境試験室内に低温環境状態や吹雪状態等を再現して、自動車等の車両の性能試験を行うのに適した環境試験装置に関するものである。
【背景技術】
【０００２】
従来、環境試験室内に低温環境状態や吹雪状態(以下、これらの状態を総称して「低温環境状態」という)を再現して、自動車の性能試験を行う環境試験装置は知られている（例えば、特許文献１参照）。
【０００３】
このように、環境試験室内に低温環境状態を再現して、自動車の低温始動試験等を行う場合は、試験効率を上げるために自動車を環境試験室へ移動させる前に、予め前準備室(以下、これを「ソーク室」という)に配置し、自動車全体を低温に冷やした後、約−５０℃〜−６０℃の低温に調整された環境試験室内の所定の位置(試験位置)まで移動させて試験を行うようにしている。
【０００４】
また、ソーク室から環境試験室内の試験位置への自動車の移動は、エンジンをかけて移動させたのでは、再びエンジンが冷えるまで待たなければ正確な試験を行うことができないので、エンジン停止状態で、数人の作業者により自動車を押して移動させる方法がとられている。
【先行技術文献】
【特許文献】
【０００５】
【特許文献１】特公昭６３−１９８０９号公報。
【発明の概要】
【発明が解決しようとする課題】
【０００６】
しかしながら、約−５０℃〜−６０℃に調整された低温の環境試験室内では床の上が滑り易く、自動車を移動させる際に作業者が床の上で滑って転倒する等の危険性があるとともに、多大な労力を必要とするという問題点があった。また、例え常温での試験であっても、作業者が自動車を押して移動させるのは、人的負荷が大きいという問題点があった。
【０００７】
そこで、人手によって作業することによる災害の防止と、作業性を高めて試験効率の向上を図るために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、試験室内の試験位置に被試験車両を配置して環境試験を行う環境試験装置であって、
ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、該牽引装置内を設定温度とするヒータ等の温調装置を備えてなることを特徴とする環境試験装置を提供する。
【０００９】
この構成によれば、例えばソーク室等から環境試験室内の試験位置に被試験車両を移動する際、牽引装置のロープの先端部側をエンジン停止状態の被試験車両に連結させ、その後、該牽引装置の駆動ドラムを回転させて該ロープの他端部側を該駆動ドラムに巻き取ると、該牽引装置の牽引力で被試験車両を試験位置へ簡単に移動させることができる。したがって、環境試験室内で作業者が被試験車両を試験位置まで押して移動させる作業を無くすることができる。
また、−５０℃〜−６０℃となる低温で使用するとき、牽引装置を設定温度とするヒータ等の温度調整装置を使用することにより、牽引装置全体の凍結を防止し、常に良好な環境でスムーズに使用することができるところ、本環境試験装置は、常温状態での試験から低温状態での試験に至るまで、広い範囲で使用することができる。
【００１０】
請求項２記載の発明は、試験室内の試験位置に被試験車両を配置して環境試験を行う環境試験装置であって、ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、前記試験室内の床に埋め込み配置されてなると共に、
前記牽引装置は、該牽引装置内を設定温度とするヒータ等の温調装置を備えてなることを特徴とする環境試験装置を提供する。
【００１１】
この構成によれば、牽引装置は環境試験室の床に埋め込み配置されて設けられているので、牽引装置を必要としない場合でも、この牽引装置が邪魔になることがない。
【００１２】
請求項３記載の発明は、試験室内の試験位置に被試験車両を配置して環境試験を行う環境試験装置であって、ロープの先端部側を前記被試験車両に連結させ、該ロープの他端部側を回転する駆動ドラムで巻き取るようにして、前記被試験車両を前記試験位置へ牽引移動可能な牽引装置を設けた環境試験装置において、
前記牽引装置は、前記試験室内の床に埋め込み配置されて成ると共に、
前記ロープは、低温の使用に耐え得る登山用のロープを使用してなり、
且つ、前記牽引装置は、該牽引装置内を設定温度とするヒータ等の温調装置を備えてなることを特徴とする環境試験装置。
【００１３】
この構成によれば、低温の使用に耐え得る登山用ロープを使用するので、ロープは例えば−５０℃〜−６０℃の低温の環境条件で行う試験にも耐え得る。したがって、本環境試験装置は、常温状態での試験から低温状態での試験に至るまで、広い範囲で使用することができる。
【００１４】
因みに、鋼製のワイヤロープを使用した場合では、低温の環境で使用すると切断事故が危惧される。また、鋼製の硬いワイヤロープが切断したときには非常に大きな危険を伴うことになるが、登山用ロープの場合では、硬くはないのでさほど大きな危険を伴うことはない。
【００１６】
また、この構成によるときも、上記請求項１または２記載の発明におけると同様、−５０℃〜−６０℃となる低温で使用するとき、牽引装置を設定温度とするヒータ等の温度調整装置を使用することにより、牽引装置全体の凍結を防止し、常に良好な環境でスムーズに使用することができる。したがって、本環境試験装置は、常温状態での試験から低温状態での試験に至るまで、広い範囲で使用することができる。
【発明の効果】
【００１７】
請求項１記載の発明は、例えばソーク室等から環境試験室内の試験位置まで
被試験車両を移動させる際に、環境試験室内で作業者が被試験車両を押して試験位置まで移動させる作業がなくなる。したがって、従来の作業で問題となっていた被試験車両を押す際に作業者が滑って転倒する事故が無くなり、安全性の向上が期待できる。また、従来の作業では多数の作業者で被試験車両の移動作業を行っていたのを、一人または数人で簡単に行なうことができる。これにより、人的負荷が軽減すると同時に作業性が高まり、試験効率も高まる。そして、−５０℃〜−６０℃となる低温で使用するとき、牽引装置を設定温度とするヒータ等の温度調整装置を使用することにより、牽引装置全体の凍結を防止し、常に良好な環境でスムーズに使用することができ、よって、本環境試験装置は、常温状態での試験から低温状態での試験に至るまで、広い範囲で使用することができ、便宜性が向上する。
【００１８】
請求項２記載の発明は、牽引装置を必要としないとき、牽引装置が邪魔にならないように環境試験室の床内に収納しておくことができるので、請求項１記載の発明の効果に加えて、環境試験室内の使い勝手が向上するという効果が期待できる。
【００１９】
請求項３記載の発明は、低温(−５０℃〜−６０℃)の使用に耐え得る登山用ロープを使用するので、請求項１記載の発明の効果に加えて、低温(−５０℃〜６０℃)の環境を再現した状態でも安全に使用することができ、使用範囲の拡大が期待できる。
【００２０】
この発明は、上記請求項１，２記載に係る発明の効果同様、受講牽引装置全体を凍結防止用ヒータ等で温めて凍結しない状態に保持して低温の環境でも使用することができるので、低温環境下における作業性を高めることができ、試験効率の向上と使用範囲を拡大させることを期待することができる。
【図面の簡単な説明】
【００２１】
【図１】本発明の一実施例に係る環境試験装置の概略側断面図。
【図２】同上環境試験装置における牽引装置の概略側面図。
【図３】図２のＡ−Ａ線矢視断面図。
【図４】上蓋の一部を破断して示す同上牽引装置の平面図。
【図５】図４のＢ−Ｂ線矢視断面図。
【発明を実施するための最良の形態】
【００２２】
本発明は人手によって作業することによる災害の防止と、作業性を高めて試験効率の向上を図るという目的を達成するために、試験室内の試験位置に被試験車両を配置して環境試験を行う環境試験装置において、ロープの先端部側を前記被試験車両に連結させ、該ロープの他端部側を回転する駆動ドラムで巻き取るようにして、前記被試験車両を前記試験位置へ牽引移動可能な牽引装置を設けたことにより実現した。
【実施例】
【００２３】
以下、本発明の環境試験装置を自動車用環境試験装置に適用した場合として、その好適な実施例を添付図面に基づいて説明する。
【００２４】
図１は本実施例に係る自動車用環境試験装置の概略側断面図である。なお、以下の説明において、図１の左右方向右側を装置の前方、左側を後方とし、また上下方向を上下(または天井面と床面)、紙面に垂直な方向を左右として説明する。
【００２５】
同図において、環境試験装置１０は、被試験車両である自動車Ｍの性能試験等を行う環境試験室１１と、該環境試験室１１内の空気を循環させるための送風ダクト１２と、該自動車Ｍの全体を予め低温に冷やしておくソーク室(図示せず)等から該環境試験室１１の試験位置Ｐ(同図中の自動車Ｍが配置されている位置)まで該自動車Ｍを牽引する牽引装置１３等により構成されている。
【００２６】
前記環境試験室１１には、前記ソーク室内から該環境試験室１１内に前記自動車Ｍを出し入れするための出入口１４と、冷風(空気)を取り入れるための、前面壁に形成した送入口１５と、該送入口１５から該環境試験室１１内に流入された冷風を順次排出するための、後部天井面１１ｂに形成した排風口１６が設けられている。
【００２７】
前記環境試験室１１の前記出入口１４は、ドア１７で開閉可能に閉じられ、また前記排風口１６の下側には前記環境試験室１１内の風を該排風口１６側に導く可動コーナーベーン(変流翼)１８が配設されている。該可動コーナーベーン１８は、前記環境試験室１１内に前記自動車Ｍを出し入れする場合に左右に移動でき、自動車Ｍの移動を妨げないようにして設けられている。
【００２８】
前記送風ダクト１２は、一端開口部１２ａ側が前記環境試験室１１の前記送入口１５に接続されているとともに、他端開口部１２ｂ側が該環境試験室１１の前記排風口１６に接続されて、該環境試験室１１の上方を取り囲むようにして配設されている。
【００２９】
また、前記送風ダクト１２の途中には、コーナーベーン１９とファン２０と空調機２１が順に設けられているとともに、前記排風口１６の下流側、すなわち前記環境試験室１１の後部天井部内には、雪捕集器２２が前記送風ダクト１２内に収容された状態にして設けられている。さらに、前記送入口１５の下流側には、人工雪を噴射する吹雪発生器としての人工降雪器２３が設けられている。
【００３０】
次に、このように構成された前記環境試験装置１０の動作を説明する。この環境試験装置１０では、風洞試験と吹雪を伴う風洞試験等を低温(−５０℃〜−６０℃)の環境下で行うことができる。なお、風洞試験と吹雪を伴う風洞試験の何れの場合も、試験に先立ち、ソーク室内で低温に冷やし込まれた自動車Ｍを、前記牽引装置１３で牽引して、該ソーク室から記環境試験室１１内の試験位置Ｐまで移動させる。すなわち、前記牽引装置１３は、該牽引装置１３の駆動ドラム３１から引き出したロープ３２の先端部を自動車Ｍに連結させ、その後、該駆動ドラム３１で該ロープ３２の他端部側を巻き取ると、自動車Ｍを牽引して前記ソーク室から記環境試験室１１内の試験位置Ｐまで移動させることができる。
【００３１】
そして、試験が開始されて前記ファン２０と前記空調機２１が駆動されると、前記送風ダクト１２の前記一端開口部１２ａ側(前記環境試験室１１の前記送入口１４)から前記環境試験室１１内に低温の風が吹き出される。また、この風の一部が自動車Ｍに当たり、該自動車Ｍの後側に廻った風が、さらに前記可動コーナーベーン１８で前記排風口１６側に導かれ、前記他端開口部１２ｂから前記送風ダクト１２内に吸い込まれる。
【００３２】
該送風ダクト１２内に吸い込まれた風は、前記雪捕集器２２、前記コーナーベーン１９を通って前記ファン２０及び前記空調機２１に帰還する。このようにして、低温の空気が前記環境試験室１１内を循環することにより、該環境試験室１１内に低温の風洞状態が再現される。
【００３３】
一方、吹雪を伴う風洞試験を行う場合は、前記人工降雪器２３で雪を生成して噴射すると、その雪が前記送風ダクト１２からの風に乗って自動車Ｍに吹き付けられるとともに、その後、風と共に前記送風ダクト１２内に吸い込まれる。該送風ダクト１２内に吸い込まれた雪は、前記雪捕集器２２内を通過するとき、該雪捕集器２２により捕集され、風だけが帰還して循環することなる。これにより、前記環境試験室１１内に吹雪を伴う風洞状態が再現される。
【００３４】
したがって、本実施例の環境試験装置１０によれば、自動車Ｍをソーク室等から環境試験室１１内の試験位置Ｐに移動する際、前記牽引装置１３で自動車Ｍを牽引して移動させることができるので、環境試験室１１内で作業者が自動車Ｍを押して移動させる作業が無くなる。これにより、従来の作業で問題となっていた環境試験室１１内で自動車Ｍを押す際に作業者が滑って転倒する事故等を無くすことができる。また、従来の作業では、多数の作業者で自動車Ｍの移動作業を行っていたのを、一人または数人で簡単に行うことができる。
【００３５】
図２乃至図５は、図１の環境試験装置１０に適用可能な牽引装置１３の好適な一例を詳細に示す図で、図２はその牽引装置１３の概略側面図、図３は図２のＡ−Ａ断面図、図４は上蓋の一部を破断して示す牽引装置１３の平面図、図５は図４のＢ−Ｂ線矢視断面図である。
【００３６】
同図において、牽引装置１３は、図１に示したように前記環境試験室１１の前部側の床面１１ａに明けられた開口部を塞ぐようにして、該床面１１ａ内に埋め込み状態で配設されてなるハウジング３３を有している。該ハウジング３３は、上面が開口された箱状の筐体として形成されており、該上面には複数個のヒンジ４４,４４…を用いて上蓋３４が開閉可能に取り付けられている。
【００３７】
前記上蓋３４は、該上蓋３４に取り付けられた取手３４ａを掴み、かつ、ヒンジ４４,４４…を支点として上下方向に回動させると、前記ハウジング３３の上面開口部を開閉することができる。また、該上蓋３４は、閉位置に配置されたとき、前記ハウジング３３の前記床面１１ａとほぼ面一状態で保持されるように形成されている。なお、前記ハウジング３３側には、図５に示すように前記上蓋３４の開閉を検出する近接スイッチ３５が設けられており、該近接スイッチ３５からの信号で前記上蓋３４の開閉状態を自動的に検知できるようになっている。
【００３８】
また、前記ハウジング３３内には、前記ロープ３２と該ロープ３２の他端部側を巻き取る前記駆動ドラム３１と、該駆動ドラム３１を回転駆動させる電動モータ３５と、該電動モータ３５の回転を減速して前記駆動ドラム３１に伝達する減速機３６と、該駆動ドラム３１から引き出された該ロープ３２を前記自動車Ｍ側に案内するガイドローラ機構３７と、該ハウジング３３内が凍結しないように該ハウジング３３内全体を温めるための凍結防止用のヒータ３８,３８等が配設されている。
【００３９】
前記ロープ３２は、例えば−５０℃〜−６０℃の環境での試験にも耐え得る登山用ロープを使用し、また耐荷重も自動車Ｍを牽引するのに十分な強度を有する高強度のロープを使用している。
【００４０】
前記ガイドローラ機構３７は、前記ハウジング３３内の上部壁面に固定されたブラケット３９と、基端部側が該ブラケット３９に枢軸４０を介して上下方向回動可能に取り付けられてなる回動アーム４１と、該回動アーム４１の先端部側に枢軸４２を介して回動可能に取り付けられてなるロープガイドローラ４３等で構成されている。また、前記回動アーム４１は、トーションバネ(図示せず)のバネ力で常に上側方向(該環境試験室１１内の方向)に回動付勢されている。そして、該回動アーム４１は、前記上蓋３４が開放されると、図２に実線で示すように前記トーションバネのバネ力で床面１１ａから該環境試験室１１内にロープガイドローラ４３と共に突出するガイド位置に移動する。
【００４１】
一方、該上蓋３４が閉じられると、該上蓋３４の重みで押されて前記トーションバネのバネ力に抗して下側に回動し、図２に二点鎖線で示すようにハウジング３３内の収納位置に収容されるようになっている。なお、前記回動アーム４１及び前記ロープガイドローラ４３が、図２に実線で示すガイド位置に配置されると、前記駆動ドラム３１から引き出された前記ロープ３２を自動車Ｍ側にガイドして牽引できる状態になる。
【００４２】
前記凍結防止用のヒータ３８,３８は、前記電動モータ３５に隣接した位置と前記減速機３６に隣接した位置にそれぞれ設けられており、前記電動モータ３５及び減前記速機３６内が凍結するのを防止するとともに、前記駆動ドラム３１、前記ロープ３２、前記ロープガイド機構３７が凍結するのを防止するようになっている。したがって、該凍結防止用のヒータ３８は、凍結状況に応じて本実施例以外の部分にも適宜設けられるものである。
【００４３】
このように構成された牽引装置１３では、前記上蓋３４が閉じられているとき、前記ロープ３２及び前記ロープガイド機構３７の全てが前記ハウジング３３内に収容され、前記環境試験室１１内の床面１１ａ上を平面状態にしておくことができる。
【００４４】
一方、自動車Ｍを牽引する場合は、前記上蓋３４を開放させると、ロープガイド機構３７の回動アーム４１がロープガイドローラ４３と共に前記床面１１ａ上から前記環境試験室１１内に突出した状態になる。また、この状態で、前記駆動ドラム３１に巻回収納されている前記ロープ３２を引き出し、さらに該ロープ３２を前記ロープガイドローラ４３上を経て、ソーク室等に配置されている自動車Ｍの位置まで延ばし、該自動車Ｍ所定の牽引部に該ロープ３２の先端を連結する。その後、前記電動モータ３５を駆動させて前記ロープ３２の他端部側を駆動ドラム３１上に巻き取らせると、この巻き取りに連動して前記自動車Ｍが前記牽引装置１３側に牽引され、該自動車Ｍを前記ソーク室から前記環境試験室１１内の前記試験位置Ｐまで移動させることができる。
【００４５】
また、牽引作業が完了したら、前記自動車Ｍの牽引部から前記ロープ３２を取り外し、その取り外したロープ３２を前記駆動ドラム３１上に巻き取らせて前記ハウジング３３内に収容し、その後、前記上蓋３４を閉じる。これにより、前記ロープガイドローラ４３と前記回動アーム４１も一体にハウジング３３内に収容され、環境試験の準備が終了する。
【００４６】
一方、前記自動車Ｍの試験終了後は、自動車Ｍはエンジン等を始動して退出し、あるいは別に用意される牽引装置を利用して退出されることになる。
【００４７】
なお、上記実施例では、低温状態を再現する環境試験装置に適用した場合について説明したが、高温又は常温状態で風洞試験を行うような場合にも適用することができるものであり、本発明が低温状態を再現する場合以外の高温又は常温状態での試験にも及ぶことは当然である。また、本発明は、本発明の精神を逸脱しない限り種々の改変を為すことができ、そして、本発明が該改変されたものにも及ぶことは当然である。
【産業上の利用可能性】
【００４８】
以上説明したように、本発明は自動車用以外の製品における環境試験を行う装置にも応用できる。
【符号の説明】
【００４９】
１０      環境試験装置
１１      環境試験室
１１ａ    床面
１３      牽引装置
１５      送入口
１６      排風口
２０      ファン
２１      空調機
３１      駆動ドラム
３２      ロープ
３３      ハウジング
３４      上蓋
３５      電動モータ
３６      減速機
３７      ロープガイド機構
３８      ヒータ
４３      ロープガイドローラ
Ｍ        自動車(被試験車両)
Ｐ        試験位置
【図１】
0005183720.tif 000002
【図２】
0005183720.tif 000003
【図３】
0005183720.tif 000004
【図４】
0005183720.tif 000005
【図５】
0005183720.tif 000006